(57)【要約】【課題】簡単な構造で小型化することができ、流通路における気流を安定して流通させることが可能なチャッキダンパーを提供すること。【解決手段】チャッキダンパー１００であって、流通路１１０Ｈを画成する枠部材１１０と、複数の軸線Ｊ１、Ｊ２と、前記流通路１１０Ｈにおける中央側が前記軸線Ｊ１、Ｊ２回りに一方側Ｆから他方側Ｒに向かう第１回動方向Ｔ１に回動可能とされるとともに、協働して前記流通路１１０Ｈを閉塞可能に構成された複数のダンパー部材１３０、１４０と、前記軸線Ｊ１、Ｊ２方向における両側で前記ダンパー部材１３０、１４０を支持する回動支持部材１５０とを備え、前記回動支持部材１５０は、前記ダンパー部材１３０、１４０が前記第１回動方向Ｔ１に回動するにしたがって前記第１回動方向Ｔ１と逆向きの第２回動方向Ｔ２の付勢力を付与することを特徴とする。【選択図】図６
2019132540.tif 000002
【特許請求の範囲】
【請求項１】
流通路の一方側から他方側に向かう気流の流通を可能とし、前記流通路の他方側から一方側に向かう気流の流通を抑止するチャッキダンパーであって、
流通路を画成する枠部材と、
前記枠部材における前記流通路をはさんで対向する部位の間に形成される複数の軸線と、
前記流通路に配置されて前記流通路における中央側が前記軸線回りの前記一方側から前記他方側に向かう第１回動方向に回動可能とされるとともに、協働して前記流通路を閉塞可能に構成された複数のダンパー部材と、
前記対向する部位に配置され前記軸線方向における両側で前記ダンパー部材を前記軸線回りに回動可能に支持する回動支持部材と、
を備え、
前記回動支持部材は、前記対向する部位の少なくともいずれか一方に付勢部材を備え、
前記付勢部材は、
前記ダンパー部材が前記第１回動方向に回動するにしたがって前記第１回動方向と逆向きの第２回動方向の付勢力を付与するように構成されていることを特徴とするチャッキダンパー。
【請求項２】
請求項１に記載のチャッキダンパーであって、
前記回動支持部材は、
前記付勢部材が前記流通路をはさんで対向する部位の双方に配置されていることを特徴とするチャッキダンパー。
【請求項３】
請求項１又は２に記載のチャッキダンパーであって、
前記流通路内の中央部に配置されて前記一方側から前記他方側に向かう気流を前記流通路の外方側に移動させるバッフルプレートを備えることを特徴とするチャッキダンパー。
【発明の詳細な説明】
【技術分野】
【０００１】
本発明は、簡単な構造で小型化することができ、流通路における気流を安定して流通させることが可能なチャッキダンパーに関する。
【背景技術】
【０００２】
周知のように、空調装置等においてダクトに接続され、あるいはファンに隣接配置されたチャッキダンパーが広く用いられている。
チャッキダンパーは、流通路の一方側から他方側に向かう気流の流通を可能とし、流通路の他方側から一方側に向かう気流の流通を抑止することを可能としている（例えば、特許文献１参照。）。
【０００３】
このようなチャッキダンパーとして、図７、図８に示すような構成されたものが知られている。図７は第１従来例に係るチャッキダンパーの概略構成の一例を説明する概念図であり、図８は第２従来例に係るチャッキダンパーの概略構成の一例を説明する概念図である。
【０００４】
第１従来例に係るチャッキダンパー２００は、図７に示すように、例えば、枠部材２１０と、枠部材２１０に形成された流通路２１０Ｈに配置されたバッフルプレート２２０と、流通路２１０Ｈに配置され軸線周りに回動するダンパー部材２３０、２４０とを備えている。
そして、チャッキダンパー２００の一方側Ｆに配置された送風ファン２６０で気流を発生させて、この気流によりがダンパー部材２３０、２４０を矢印Ｔ２１方向に回動させて流路を確保することで、流通路２１０Ｈを一方側Ｆから他方側Ｒに向かって気流を流通させるようになっている。
【０００５】
また、第２従来例に係るチャッキダンパー３００は、図８に示すように、例えば、枠部材３１０と、枠部材３１０に形成された流通路３１０Ｈに配置され軸線周りに回動するダンパー部材３２０、３３０と、レバー式重錘３４０と、ストッパ３１１とを備えている。
【０００６】
そして、チャッキダンパー３００は、流通路３１０Ｈに気流がある場合は、ダンパー部材３２０、３３０が気流によって矢印Ｔ１方向に回動して流通路３１０Ｈが開放されて、流通路３１０Ｈ内を一方側Ｆから他方側Ｒに向かって気流Ｗ３が流通するようになっている。
【０００７】
また、流通路３１０Ｈに気流がない場合は、ダンパー部材３２０はレバー式重錘３４０の荷重によって矢印Ｔ２方向に回動して原位置に復帰することでストッパ３１１と当接し、ダンパー部材３３０は自重によって矢印Ｔ２方向に回動してストッパ３１１と当接する。
【先行技術文献】
【特許文献】
【０００８】
【特許文献１】特開２０１２−１２２６８３号公報
【発明の概要】
【発明が解決しようとする課題】
【０００９】
しかしながら、第１従来例に係るチャッキダンパー２００は、気流が流通路２１０Ｈを通過する際に、ダンパー部材２３０、２４０によって流通路２１０Ｈ内を下側に偏って移動させられてしまい、気流を流通路２１０Ｈ内において安定して直進させることが困難である。
【００１０】
また、第２従来例に係るチャッキダンパー３００は、ダンパー部材３３０を原位置に復元するために大型のレバー式重錘３４０を設ける必要があり、チャッキダンパー３００が大型化してしまうという問題がある。
【００１１】
本発明はこのような課題に鑑みてなされたものであって、簡単な構造で小型化することができ、流通路において気流を安定して流通させることが可能なチャッキダンパーを提供することを目的とする。
【課題を解決するための手段】
【００１２】
前記課題を解決するため、この発明は以下の手段を提案している。
請求項１に記載の発明は、流通路の一方側から他方側に向かう気流の流通を可能とし、前記流通路の他方側から一方側に向かう気流の流通を抑止するチャッキダンパーであって、流通路を画成する枠部材と、前記枠部材における前記流通路をはさんで対向する部位の間に形成される複数の軸線と、前記流通路に配置されて前記流通路における中央側が前記軸線回りの前記一方側から前記他方側に向かう第１回動方向に回動可能とされるとともに、協働して前記流通路を閉塞可能に構成された複数のダンパー部材と、前記対向する部位に配置され前記軸線方向における両側で前記ダンパー部材を前記軸線回りに回動可能に支持する回動支持部材と、を備え、前記回動支持部材は、前記対向する部位の少なくともいずれか一方に付勢部材を備え、前記付勢部材は、前記ダンパー部材が前記第１回動方向に回動するにしたがって前記第１回動方向と逆向きの第２回動方向の付勢力を付与するように構成されていることを特徴とする。
【００１３】
この発明に係るチャッキダンパーによれば、流通路に配置されて流通路における中央側が軸線回りの一方側から他方側に向かう第１回動方向に回動可能とされるとともに、協働して流通路を閉塞可能に構成された複数のダンパー部材を備えているので、流通路内における気流を、流通路のダンパー部材に対して対称となる中央寄りに誘導することができる。したがって、流通路内を通過する気流が低風量の場合でも、気流を中央に対称に流通させることができる。
また、枠部材において対向する部位に配置され軸線方向における両側でダンパー部材を軸線回りに回動可能に支持する回動支持部材とを備え、回動支持部が対向する部位の少なくともいずれか一方に付勢部材を備え、付勢部材がダンパー部材が第１回動方向に回動するにしたがって第１回動方向と逆向きの第２回動方向の付勢力を付与するように構成されているので、レバー式重錘等の大掛かりな構成を備える必要がない。
その結果、簡単な構造で小型化することができ、流通路において気流を安定して流通させることができる。
【００１４】
請求項２に記載の発明は、請求項１に記載のチャッキダンパーであって、前記回動支持部材は、前記付勢部材が前記流通路をはさんで対向する部位の双方に配置されていることを特徴とする。
【００１５】
この発明に係るチャッキダンパーによれば、回動支持部材は、付勢部材が流通路をはさんで対向する部位の双方に配置されているので、流通路をはさんで対向する間隔が大きい場合であっても、ダンパー部材を安定して回動させることができる。
【００１６】
請求項３に記載の発明は、請求項１又は２に記載のチャッキダンパーであって、前記流通路内の中央部に配置されて前記一方側から前記他方側に向かう気流を前記流通路の外方側に移動させるバッフルプレートを備えることを特徴とする。
【００１７】
この発明に係るチャッキダンパーによれば、流通路内の中央部に配置されるバッフルプレートを備えているので、流通路内における気流の偏りを小さくして、低風量の場合であっても流通路を流れる気流の直進性を向上することができる。
その結果、例えば、気流が送風ファン等によって発生され中央部に渦が形成されている場合であっても、下流側において気流を平行な流れに近づけることが可能となり気流を安定させることができる。
【発明の効果】
【００１８】
この発明に係るチャッキダンパーによれば、簡単な構造で小型化することができ、流通路において気流を安定して流通させることができる。
【図面の簡単な説明】
【００１９】
【図１】本発明の一実施形態に係るチャッキダンパーを適用した空調装置の概略構成の一例を説明する概念図である。
【図２】本発明の一実施形態に係るチャッキダンパーの概略構成を説明する図であり、（Ａ）は流通路に沿って見た概略構成図であり、（Ｂ）は側面から見た概念図である。
【図３】本発明の一実施形態に係るチャッキダンパーの概略構成を説明する図であり、（Ａ）はダンパー部材を側面から見た概略構成図であり、（Ｂ）はダンパー部材及び回動支持部材を側面から見た概略構成図である。
【図４】本発明の一実施形態に係るチャッキダンパーの回動支持部材の概略構成を説明する図であり、（Ａ）は（Ｂ）に矢視ＩＶＡ‐ＩＶＡで示す縦断面図を示しており、（Ｂ）は回動支持部材をダンパー部材側から軸線に沿って見たときの概略構成図である。
【図５】本発明の一実施形態に係るチャッキダンパーの回動支持部材の調整方法の概略を説明する概念図である。
【図６】本発明の一実施形態に係るチャッキダンパーの作用の概略を説明する概念図である。
【図７】第１従来例に係るチャッキダンパーの概略構成の一例を説明する概念図である。
【図８】第２従来例に係るチャッキダンパーの概略構成の一例を説明する概念図である。
【発明を実施するための形態】
【００２０】
以下、図１〜図６を参照して、本発明の一実施形態について説明する。
図１は本発明の一実施形態に係るチャッキダンパーを適用した空調装置の概略構成の一例を説明する概念図である。また、図２は一実施形態に係るチャッキダンパーの概略構成を説明する図であり、図２（Ａ）は流通路に沿って見た概略構成図であり、図２（Ｂ）は側面から見た概念図である。図において、符号１０は空調装置を、符号１００はチャッキダンパーを、符号１１０は枠部材を、符号１１０Ｈは流通路を、符号１２０は点検パネル（バッフルプレート）を、符号１３０、１４０はダンパー部材を、符号１５０は回動支持部材を示している。
【００２１】
空調装置１０は、図１に示すように、例えば、チャッキダンパー１００と、送風ファン１６０とを備え、サーバーが配置されるサーバールームの壁部に形成された開口部に配置されるようになっている。
送風ファン１６０は、例えば、モータ（不図示）と、モータによって回転されるファン（不図示）とを備え、モータによりファンを回転させることによって気流を発生するようになっている。
【００２２】
そして、チャッキダンパー１００は、送風ファン１６０が発生させた気流を流通路の一方側Ｆから他方側Ｒ（サーバールームの外方から内方）に向かって流通させるとともに、他方側Ｒから一方側Ｆ（サーバールームの内方から外方）に向かう気流を抑止してサーバールームの内部を空気調和するように構成されている。
【００２３】
チャッキダンパー１００は、図１、２に示すように、枠部材１１０と、枠部材１１０により画成される流通路１１０Ｈと、流通路１１０Ｈをはさんで枠部材１１０の対向する部位の間に形成される２本（複数）の軸線Ｊ１、Ｊ２と、点検パネル（バッフルプレート）１２０と、軸線Ｊ１、Ｊ２周りに回動可能とされた２つ（複数）のダンパー部材１３０、１４０と、軸線Ｊ１、Ｊ２方向における両側でダンパー部材１３０及びダンパー部材１４０を支持する４つの回動支持部材１５０とを備えている。
【００２４】
また、チャッキダンパー１００は、流通路１１０Ｈの寸法が、例えば、幅（左右方向寸法）７４０ｍｍ、高さ（上下方向寸法）１０９０ｍｍ、厚さ（流通路１１０Ｈに沿った方向の寸法）１００ｍｍに設定されている。
【００２５】
枠部材１１０は、図１に示すように、一方側Ｆから他方側Ｒに延在し流通路１１０Ｈを画成する枠部材本体１１１と、枠部材本体１１１の一方側Ｆの端部に接続され枠部材本体１１１から外方に向かって延在するフランジ部１１１Ｆと、枠部材本体１１１の他方側Ｒの端部に接続され枠部材本体１１１から外方に向かって延在するフランジ部１１１Ｒと、上部ストッパ１１２と、下部ストッパ１１３と、枠部材本体１１１の左右の縦壁部に形成され回動支持部材５０を取付ける取付け穴１１4と、取手１１５と、だるま穴１１６とを備えている。
【００２６】
枠部材本体１１１は、一方側Ｆから他方側Ｒに沿って見たときに（以下、流通路に沿って見たときに、という）矩形形状に形成されている。
枠部材本体１１１は、この実施形態において、例えば、上下方向の寸法が横（幅）方向の寸法よりも長く設定されている。
また、枠部材本体１１１の左右に位置される縦壁部は、同じ高さに位置され互いに対向する部位に流通路１１０Ｈを挟んで軸線Ｊ１、Ｊ２が形成されるように構成されている。
【００２７】
上部ストッパ１１２は、枠部材本体１１１の上側に位置する上側壁部の下面（内面）の一方側Ｆと他方側Ｒの中央近傍において上側壁部に沿って形成されるとともに、流通路１１０Ｈの内方側（下側）に向かって立設されている。
【００２８】
下部ストッパ１１３は、枠部材本体１１１の下側に位置する下側壁部の上面（内面）の一方側Ｆと他方側Ｒの中央近傍において下側壁部に沿って形成されるとともに、流通路１１０Ｈの内方側（上側）に向かって立設されている。
【００２９】
取付け穴１１４は、例えば、枠部材本体１１１の左右の縦壁部に軸線Ｊ１、Ｊ２と対応してそれぞれ２か所ずつ形成されている。
また、それぞれの取付け穴１１４は、この実施形態において、例えば、軸線Ｊ、Ｊ２を中心とする円周上に周方向に９０°の間隔をあけて形成された４個のねじ穴を備えている。
【００３０】
取手１１５は、例えば、丸棒をコの字形に曲げて形成され、フランジ部１１１Ｒの左右の縦壁部に沿って配置されていて、チャッキダンパー１００及び枠部材１１０を効率的に取り扱い可能としている。
【００３１】
だるま穴１１６は、例えば、フランジ部１１１Ｆの左右の縦壁部にそれぞれ１つ配置されていて、上側に位置される小径円形穴と下側に位置される大径円形穴の一部を互いに重ねることにより形成されている。
【００３２】
そして、だるま穴１１６を備えていることにより、チャッキダンパー１００を着脱する際に、サーバールームの壁部から突出させたスタッドボルトに仮置きすることが可能とされている。
その結果、チャッキダンパー１００を、重筋作業が生じるのを抑制しつつ短時間で効率的に着脱することができるようになっている。
【００３３】
点検パネル（バッフルプレート）１２０は、流通路１１０Ｈの上下方向における中央部に配置されていて、例えば、流通路１１０Ｈの左右方向幅と略等しい寸法の矩形平板に形成され、流通路１１０Ｈには点検パネル１２０の上側と下側に上下方向寸法が等しい開口部が形成されるようになっている。
また、点検パネル１２０の上端と下端には、それぞれ他方側Ｒに屈曲する屈曲部が形成されている。
【００３４】
また、点検パネル（バッフルプレート）１２０の上下方向寸法は、例えば、流通路１１０Ｈを流れる気流に渦が形成される範囲や、気流の進行方向が偏る範囲と対応させて設定することが好適である。
また、点検パネル（バッフルプレート）１２０は、例えば、ボルト（不図示）等の取付け部材によって枠部材１１０に着脱可能に取付けられている。
そして、点検パネル（バッフルプレート）１２０を取り外すことにより、送風ファン１６０のメンテナンスを効率的に行うことが可能とされている。
【００３５】
次に、図２、図３を参照して、ダンパー部材の概略構成について説明する。
図３は、一実施形態に係るチャッキダンパーの概略構成を説明する図であり、図３（Ａ）はダンパー部材を側面から見た概略構成図であり、図３（Ｂ）はダンパー部材及び回動支持部材を側面から見た概略構成図である。なお、図３に示すダンパー部材１４０は、図２で示すダンパー部材１４０とは上下方向における向きを反対に示している。
【００３６】
ダンパー部材１３０及びダンパー部材１４０は、図１、図２に示すように、流通路１１０Ｈに配置され、協働して流通路１１０Ｈを閉塞可能に構成されている。
また、ダンパー部材１３０は、点検パネル（バッフルプレート）１２０より下側に配置され、ダンパー部材１４０は点検パネル（バッフルプレート）１２０より上側に配置されている。
【００３７】
ダンパー部材１３０は、図２に示すように、流通路に沿って見たときに、矩形平板状に形成されていて、流通路１１０Ｈの幅と対応するとともに、ストッパ１１３と点検パネル（バッフルプレート）１２０の下端の間に形成される開口部と対応する寸法に設定されている。
【００３８】
また、ダンパー部材１３０は、図３に示すように、ダンパー本体１３１と、カバー部材１３４と、バランスウェイト１３５と、回動軸１３６とを備えている。
ダンパー本体１３１は、軸線Ｊ１に対して流通路１１０Ｈの中央側（上側）に位置される第１領域部１３１Ａと、軸線Ｊ１に対して流通路１１０Ｈの外方側（下側）に位置される第２領域部１３１Ｂとを備えていて、ダンパー本体１３１の軸線Ｊ１と対応する位置には半円状凹部が形成されている。
【００３９】
カバー部材１３４は、半円状凹部を有していて、カバー部材１３４の半円状凹部をダンパー本体１３１の半円状凹部と向い合せて連結することにより円筒部１３１Ｈが形成されるようになっている。
【００４０】
バランスウェイト１３５は、例えば、左右方向寸法が第２領域部１３１Ｂと同等に形成された板状の部材からなり、例えば、第２領域部１３１Ｂの一方側Ｆの面に貼着されている。
そして、ダンパー部材１３０が軸線Ｊ１周りのどの周方向位置にあっても、軸線Ｊ１回りの回動方向においてバランスが取れるようになっている。
【００４１】
回動軸１３６は、円筒部１３１Ｈに挿入され固定されるとともに、両端面には略Ｌ字形とされた係合溝（不図示）が形成されて回動支持部材１５０に装着されるようになっている。
そして、ダンパー部材１３０の回動を回動支持部材１５０に伝達するとともに回動支持部材１５０で発生した付勢力をダンパー部材１３０に伝達、付与するように構成されている。
【００４２】
また、ダンパー部材１３０は、第１領域部１３１Ａの上端部に一方側Ｆに屈曲する屈曲部１３２が形成されていて、屈曲部１３２の先端１３２Ｅは点検パネル１２０の下端部の他方側Ｒと当接可能とされている。
【００４３】
また、ダンパー部材１３０は、第２領域部１３１Ｂの下端部に他方側Ｒに屈曲する屈曲部１３３が形成されていて、屈曲部１３３の先端１３３Ｅはストッパ１１３の一方側Ｆと当接可能とされている。
【００４４】
ダンパー部材１４０は、図２に示すように、流通路に沿って見たときに、矩形平板状に形成されていて、流通路１１０Ｈの幅と対応するとともに、ストッパ１１２と点検パネル（バッフルプレート）１２０の上端の間に形成される開口部と対応する寸法に設定されている。
【００４５】
また、ダンパー部材１４０は、図３において（  ）内に示すように、ダンパー本体１４１と、カバー部材１４４と、バランスウェイト１４５と、回動軸１４６とを備えている。
ダンパー本体１４１は、軸線Ｊ２に対して流通路１１０Ｈの中央側（下側）に位置される第１領域部１４１Ａと、軸線Ｊ２に対して流通路１１０Ｈの外方側（上側）に位置される第２領域部１４１Ｂとを備えていて、ダンパー本体１４１の軸線Ｊ２と対応する位置には半円状凹部が形成されている。
【００４６】
カバー部材１４４は、半円状凹部を有していて、カバー部材１４４の半円状凹部をダンパー本体１４１の半円状凹部と向い合せて連結することにより円筒部１４１Ｈが形成されるようになっている。
【００４７】
バランスウェイト１４５は、例えば、左右方向寸法が第２領域部１４１Ｂと同等に形成された板状の部材からなり、例えば、第２領域部１４１Ｂの一方側Ｆの面に貼着されている。
そして、ダンパー部材１４０が軸線Ｊ２周りのどの周方向位置にあっても、軸線Ｊ２回りの回動方向においてバランスが取れるようになっている。
【００４８】
回動軸１４６は、円筒部１４１Ｈに挿入され固定されるとともに、両端面には略Ｌ字形とされた係合溝（不図示）が形成されて回動支持部材１５０に装着されるようになっている。
そして、ダンパー部材１４０の回動を回動支持部材１５０に伝達するとともに回動支持部材１５０で発生した付勢力をダンパー部材１４０に伝達、付与するように構成されている。
【００４９】
また、ダンパー部材１４０は、第１領域部１４１Ａの上端部に一方側Ｆに屈曲する屈曲部１４２が形成されていて、屈曲部１４２の先端１４２Ｅは点検パネル１２０の上端部の他方側Ｒと当接可能とされている。
【００５０】
また、ダンパー部材１４０は、第２領域部１４１Ｂの下端部に他方側Ｒに屈曲する屈曲部１４３が形成されていて、屈曲部１４３の先端１４３Ｅはストッパ１１２の一方側Ｆと当接可能とされている。
【００５１】
次に、図４、図５を参照して、回動支持部材について説明する。
図４は、回動支持部材の概略構成を説明する図であり、図４（Ａ）は図４（Ｂ）に矢視ＩＶＡ‐ＩＶＡで示す縦断面図を示しており、図４（Ｂ）は回動支持部材をダンパー部材側から軸線に沿って見たときの概略構成図である。また、図５は、回動支持部材の調整方法の概略を説明する概念図である。
【００５２】
回動支持部材１５０は、軸線Ｊ１、Ｊ２と対応して枠部材本体１１１の縦壁部の互いに対向する位置（部位）に配置されている。
【００５３】
そして、回動支持部材１５０は、ダンパー部材１３０を軸線Ｊ１の両側で支持するとともに、ダンパー部材１３０の軸線Ｊ１より上側（流通路１１０Ｈにおける中央寄り）に位置される第１領域部１３１Ａが、一方側Ｆから他方側Ｒに向かって回動する第１回動方向Ｔ１と、第１回動方向Ｔ１に対して逆向きの第２回動方向Ｔ２に回動可能とされている。
【００５４】
また、回動支持部材１５０は、ダンパー部材１４０を軸線Ｊ２の両側で支持するとともに、ダンパー部材１４０の軸線Ｊ２より下側（流通路１１０Ｈの中央寄り）に位置される第１領域部１４１Ａが、一方側Ｆから他方側Ｒに向かって回動する第１回動方向Ｔ１と、第１回動方向Ｔ１に対して逆向きとされる第２回動方向Ｔ２に回動可能とされている。
【００５５】
すなわち、回動支持部材１５０は、軸線Ｊ１、Ｊ２の両側で鏡対称の構造とされている。また、左右それぞれの縦壁部に配置される軸線Ｊ１の回動支持部材１５０と、軸線Ｊ２の回動支持部材１５０は、互いに鏡対称の構造とされている。そのほかの基本的構造については、同様に構成されている。
【００５６】
回動支持部材１５０は、図４に示すように、例えば、断面略ハット形状とされたハウジング１５１と、ぜんまいバネ（付勢部材）１５２とを備えている。
この実施形態において、ぜんまいバネ（付勢部材）１５２は、例えば、流通路１１０Ｈをはさんで対向する左右双方の部位に配置された構成とされている。
【００５７】
ハウジング１５１は、図４（Ａ）に示すように、円板状フランジ１５１Ｆと、円板状フランジ１５１Ｆの内周側に形成された遊底円筒状の凹部１５１Ｕと、円板状フランジ１５１Ｆに形成され調整穴１５１Ｈとを備えている。
【００５８】
ぜんまいバネ（付勢部材）１５２は、弾性の高い板材を渦巻状に巻回して構成されたぜんまいバネ本体１５２Ｓと、ぜんまいバネ本体１５２Ｓの内周側先端に位置される係合部１５２Ｌとを備えている。
また、ぜんまいバネ１５２は、この実施形態において、凹部１５１Ｕの中に収容されている。
【００５９】
係合部１５２Ｌは、例えば、内方に向かって屈曲するＬ字形に形成されていて、ダンパー部材１３０、１４０を構成する回動軸１３６、１３６の両端面に形成された係合溝（不図示）が挿入されて、ダンパー部材１３０、１４０と回動支持部材１５０とを連結するようになっている。
【００６０】
ぜんまいバネ本体１５２Ｓは、回動軸部材によって、図４（Ｂ）、図５における軸線Ｊ１（Ｊ２）の時計回りの第１回動方向Ｔ１に巻回されるとこで、第２回動方向Ｔ２の付勢力が生じる構成とされている。
そして、第１回動方向Ｔ１への回動を大きくするにしたがって、第２回動方向Ｔ２の付勢力が大きくなるように構成されている。
【００６１】
調整穴１５１Ｈは、この実施形態において、円板状フランジ１５１Ｆの同一円周上に周方向に３０°の間隔をあけて１２個（複数）形成されている。
そして、回動支持部材１５０を枠部材本体１１１の縦壁部に取付ける際に、調整穴１５１Ｈを取付け穴１１４と対応させて、回動支持部材１５０とダンパー部材１３０、１４０との周方向位置を調整可能とされている。
【００６２】
具体的には、回動支持部材１５０を取付ける際に、例えば、図５に示すように、回動支持部材１５０を矢印Ｓ方向に回動させて、取付け穴１１４Ａ、１１４Ｂ、１１４Ｃ、１１４Ｄに取付ける調整穴１５１Ｈを変えることにより、ぜんまいバネ（付勢部材）１５２の軸線Ｊ１、Ｊ２周りの周方向における位置が調整され、ダンパー部材１３０、１４０が第１回動方向Ｔ１に回動した際に生じる付勢力が調整されるように構成されている。
【００６３】
なお、ぜんまいバネ（付勢部材）１５２を１個にするか２個にするかは、ダンパー部材１３０、１４０が安定して回動可能な範囲内において、例えば、ダンパー部材１３０、１４０の寸法、重量、バランスウエイトの設定等に基づいて、任意に設定することができる。
【００６４】
次に、図６を参照して、チャッキダンパーの作用の概略を説明する。図６は、チャッキダンパーの作用の概略を説明する概念図である。
チャッキダンパー１００は、送風ファン１６０が駆動されて気流Ｗ１を発生させると、気流Ｗ１の風力によってダンパー部材１３０、１４０が第１回動方向Ｔ１に回動される。
【００６５】
そして、流通路１１０Ｈ内に点検パネル（バッフルプレート）を挟んで上側と下側に開口部が形成されて、流通路１１０Ｈの一方側Ｆから他方側Ｒに向かって気流Ｗ１が流通させる。
このとき、気流Ｗ１は流通路１１０Ｈの上下方向における中央寄りに移動されて、下流側でほぼ直進する。
【００６６】
また、送風ファン１６０が停止されると、回動支持部材１５０に生じた付勢力によってダンパー部材１３０、１４０は第２回動方向Ｔ２方向に回動されて、ダンパー部材１３０及びダンパー部材１４０が、協働して流通路１１０Ｈ内に形成された開口部を閉塞する。
【００６７】
一実施形態に係るチャッキダンパー１００によれば、流通路１１０Ｈにおける気流Ｗ１を流通路１１０Ｈの上下方向における中央寄りに誘導し、流通路１１０Ｈ内を通過する気流Ｗ１が低風量の場合であっても、下流側において気流Ｗ１をほぼ直進させることができる。
【００６８】
また、ダンパー部材１３０、１４０を回動支持部材１５０により支持されていて、ダンパー部材１３０、１４０が第１回動方向Ｔ１に回動するにしたがって、第１回動方向Ｔ１と逆向きの第２回動方向Ｔ２の付勢力を付与するように構成されているので、レバー式重錘等の大掛かりな構成が必要とされない。
その結果、簡単な構造で小型化することができ、流通路１１０Ｈにおいて気流Ｗ１を安定して流通させることができる。
【００６９】
一実施形態に係るチャッキダンパー１００によれば、点検プレート（バッフルプレート）１２０を備えているので、流通路１１０Ｈ内における気流Ｗ１の偏りを小さくして、低風量の場合であっても流通路１１０Ｈを流れる気流Ｗ１の直進性を向上することができる。
その結果、例えば、送風ファン１６０によって気流Ｗ１に渦が形成されている場合であっても、下流側において気流Ｗ１を平行な流れに近づけることが可能となり気流Ｗ１を安定させることができる。
【００７０】
また、一実施形態に係るチャッキダンパー１００によれば、ダンパー部材１３０、１４０が回動支持部材１５０の付勢力によって元の位置に復元されるので、ダンパー部材  １３０、１４０の軸線Ｊ１、Ｊ２を水平方向以外に設定してもよく、チャッキダンパー１００を設置する際の対象を広げることができる。
【００７１】
なお、本発明は、上記実施形態に限定されるものではなく、発明の趣旨を逸脱しない範囲において、種々の変更をすることが可能である。
【００７２】
例えば、上記実施形態においては、チャッキダンパー１００を、送風ファン１６０とともに用いて空調装置１０に適用する場合について説明したが、チャッキダンパー１００の用途については任意に設定することが可能である。例えば、チャッキダンパー１００をダクトの端部やダクトの途中に配置してもよいし、その他の任意の用途に適用してもよい。
【００７３】
また、上記実施形態においては、チャッキダンパー１００が、点検プレート（バッフルプレート）１２０を備えている場合について説明したが、点検プレート（バッフルプレート）１２０を備えるかどうかは任意に設定することができる。
また、点検プレート（バッフルプレート）１２０に代えて、点検に使用しないバッフルプレートを設けてもよい。
【００７４】
また、上記実施形態においては、回動支持部材１５０がぜんまいバネ１５２を備えている場合について説明したが、ぜんまいバネ１５２以外の付勢部材を有する構成としてもよい。
【００７５】
また、上記実施形態においては、流通路１１０Ｈにそれぞれ一つのダンパー部材１３０及びダンパー部材１４０が配置される場合について説明したが、ダンパー部材の数については任意に設定することが可能であり、例えば、流通路１１０Ｈの中央より上側と下側に、それぞれ２つ以上の複数のダンパー部材を備えた構成してもよい。
【００７６】
また、上記実施形態においては、回動支持部材１５０が、流通路１１０Ｈをはさんで対向する左右双方の部位にぜんまいバネ（付勢部材）１５２が配置されている場合について説明したが、流通路１１０Ｈをはさんで対向する部位のいずれか一方にぜんまいバネ（付勢部材）１５２が配置される構成としてもよい。
【００７７】
また、上記実施形態においては、流通路１１０Ｈの上側と下側にダンパー部材１３０、１４０を配置する場合について説明したが、例えば、回動軸を鉛直方向に配置してもよいし、鉛直方向及び水平方向の双方と交差する方向に軸線を配置することも可能である。
【００７８】
また、上記実施形態においては、流通路に沿って見たときに、流通路１１０Ｈが矩形に形成されている場合について説明したが、流通路の形状については任意に設定することが可能であり、例えば、多角形や円形に形成してもよい。
【産業上の利用可能性】
【００７９】
この発明に係るチャッキダンパーによれば、簡単な構造で小型化することができ、流通路における気流を安定して流通させることができるので産業上利用可能である。
【符号の説明】
【００８０】
Ｆ  一方側
Ｒ  他方側
Ｊ１、Ｊ２  軸線
１０    空調装置
１００  チャッキダンパー
１１０  枠部材
１１０Ｈ  流通路
１１１  枠部材本体
１１１Ｆ、１１１Ｒ  フランジ部
１１２  上部ストッパ
１１３  下部ストッパ
１１４  取付け穴
１１５  取手
１１６  だるま穴
１２０  点検パネル（バッフルプレート）
１３０、１４０  ダンパー部材
１３６、１４６  回動軸
１５０  回動支持部材
１５２  ぜんまいバネ（付勢部材）
１５２Ｓ  ぜんまいバネ本体（付勢部材）
１６０  送風ファン
【図１】
2019132540.tif 000003
【図２】
2019132540.tif 000004
【図３】
2019132540.tif 000005
【図４】
2019132540.tif 000006
【図５】
2019132540.tif 000007
【図６】
2019132540.tif 000008
【図７】
2019132540.tif 000009
【図８】
2019132540.tif 000010